(57)【要約】【課題】複数の相手局の中から特定の相手局を選択して通信可能な無線機であって、呼出先の相手局を容易に設定でき、かつ装置コストを低減できる無線機を提供する。【解決手段】無線機において、相手局と通信する通信手段と、音声を出力する音声出力手段と、呼出先として設定可能な１又は２以上の相手局の識別情報を記憶する記憶手段と、記憶手段に記憶されている相手局の中から呼出先となる相手局を設定するための相手局設定手段と、通信手段によって、相手局設定手段によって設定された相手局に対応する識別情報を含む電波を送信させ、当該相手局との通信を可能とする制御手段と、を備える。  そして、相手局設定手段は、記憶手段に記憶されている相手局に対応する音声案内を、音声出力手段によって順次アナウンスさせ、特定の操作信号の入力に基づいて、アナウンスされた音声案内に対応する相手局を呼出先として設定する。【選択図】図４
2009171400.tif 000002
【特許請求の範囲】
【請求項１】
相手局と通信する通信手段と、
音声を出力する音声出力手段と、
呼出先として設定可能な１又は２以上の相手局の識別情報を記憶する記憶手段と、
前記記憶手段に記憶されている相手局の中から呼出先となる相手局を設定するための相手局設定手段と、
前記通信手段によって、前記相手局設定手段によって設定された相手局に対応する識別情報を含む電波を送信させ、当該相手局との通信を可能とする制御手段と、を備え、
前記相手局設定手段は、前記記憶手段に記憶されている相手局に対応する音声案内を、前記音声出力手段によって順次アナウンスさせ、特定の操作信号の入力に基づいて、アナウンスされた音声案内に対応する相手局を呼出先として設定することを特徴とする無線機。
【請求項２】
前記相手局設定手段は、所定の時間間隔で前記音声案内を順次アナウンスさせ、特定の操作信号が入力される直前にアナウンスされた音声案内に対応する相手局を呼出先として設定することを特徴とする請求項１に記載の無線機。
【請求項３】
前記制御手段は、前記通信手段によって受信された電波に当該無線機の識別情報が含まれていた場合に、前記音声出力手段によって呼出音を出力させるとともに、
前記通信手段によって受信された電波に相手局の識別情報が含まれ、その識別情報が前記記憶手段に記憶されている場合には、前記音声出力手段によって当該相手局に対応する音声案内をアナウンスさせることを特徴とする請求項１又は２に記載の無線機。
【請求項４】
表示画面を備えていないことを特徴とする請求項１から３のいずれか一項に記載の無線機。
【請求項５】
前記識別情報は、無線機に固有に付与されるＩＤコードであ
ることを特徴とする請求項１から４のいずれか一項に記載の無線機。
【発明の詳細な説明】
【技術分野】
【０００１】
本発明は、特定の相手局と通信可能な無線機に関する。
【背景技術】
【０００２】
従来、無線機において、無信号時にスピーカから出力される耳障りなノイズを遮断し、無音状態にするための機能として、スケルチ（Squelch）が知られている。スケルチのうち、無線機の変調信号に予め連続した単一周波数のトーン信号を重畳して送信することで、単にノイズを遮断する用途のみならず、所定のトーン信号を含む電波だけを選択受信できるようにしたものにトーンスケルチ（ＣＴＣＳＳ：Continuous Tone Coded Squelch System）がある。トーンスケルチを使用すると、自局と相手局のそれぞれにおいて設定されているトーン周波数が一致したときのみ通信可能となる。このトーンスケルチ機能は、一つの周波数を多数の事業者で共用する業務無線等において使用され、最近では無線機に標準的に装備されている。
【０００３】
また、固有のＩＤコードを無線機に予め付与しておき、所望の相手局のＩＤコードを付加した電波を送信することで、通信する相手局を個別に呼び出す機能が知られている。
これらの機能を組み合わせることで、特定の相手局とのみ通信することが可能となる。
【０００４】
上述した特定の相手局と通信可能とする機能を有する無線機では、通信する際に、複数の相手局の中から所望の相手局を選択して、電波を送信する（相手局を呼び出す）こととなる。そのため、一般には、ＬＣＤ（Liquid Crystal Display）等の表示画面を具備している。
【０００５】
以下、表示画面を備えた無線機における相手局呼出処理について説明する。
図８は、相手局呼出処理の一例を示すフローチャートである。図９は、相手局呼出時の無線機２００の遷移状態を示す説明図である。なお、無線機２００には、呼出先として設定可能な相手局として、相手局１〜３が設定されているものとする。
この相手局呼出処理は、例えば、ユーザによってＩＤセレクトキー２２が押下されることに伴い実行される（図９（ａ）参照）。
【０００６】
図８において、ステップＳ４１では、相手局１に対応する表示“Ｎｏ．１”が表示画面７上に表示される（図９（ｂ））。そして、ユーザがＩＤ切換キー２４を押下するごとに、表示画面７上に表示される内容が切り換わる。
ステップＳ４２では、ユーザにより送信キー２１が押されたか否かが判定される。そして、ユーザにより送信キー２１が押されたと判定した場合はステップＳ５０へと移行し、送信キー２１が押されていないと判定した場合はステップＳ４３へと移行する。
ステップＳ４３では、ユーザによりＩＤ切換キー２４が押されたか否かが判定される。そして、ユーザによりＩＤ切換キー２４が押されていないと判定した場合は、ステップＳ４２へと移行し、処理が継続される。一方、ＩＤ切換キー２４が押されたと判定した場合は、ステップＳ４４へと移行し、相手局２を呼び出すための処理が行われる。
ステップＳ４４〜Ｓ４６、Ｓ４７〜Ｓ４９は、ステップＳ４１〜Ｓ４３と同様であるので説明を省略する。
【０００７】
そして、ステップＳ５０では、送信キー２１が押下されたときに表示されていた相手局に対して、当該相手局のＩＤコードを含んだ電波が送信される。例えば、図９（ｃ）に示すように“Ｎｏ．２”が表示画面７上に表示されている状態で、ユーザにより送信キー２１が押下されると、相手局２に対応して登録されているＩＤコード（例えば、“１００２”）を含んだ電波が送信される（図９（ｅ））。そして、相手局２との通信が開始される。
このように、従来の表示画面を備える無線機２００においては、複数の相手局（相手局１〜３）を登録しておいて、相手局に対応する表示（例えば、“Ｎｏ．１”）を表示画面上に表示させることで、呼出時に相手局を選択することができる。
【０００８】
一方で、表示画面を備えていない無線機においては、呼出時に相手局を選択することができないため、予め呼出先となる相手局は設定されることとなる。
図１０は、表示画面を備えない無線機３００における相手局呼出動作についての説明図である。図１１は、無線機３００に対して呼出先となる相手局を設定する様子を示した説明図である。
無線機３００には、呼出先となる相手局が予め一つ設定される。ユーザにより送信キー２１が押下されると（図１０（ａ））、予め設定されている相手局のＩＤコードを含んだ電波がアンテナＡＮＴより送信される（図１０（ｂ））。そして、相手局との通信が開始される。
呼出先となる相手局の設定・変更は、図１１に示すように、ＰＣ等の表示画面を備えた端末４００を通じてデータを書き込むことによって行われる。
【０００９】
また、表示画面を備えていない無線機に有効な技術として、例えば、特許文献１に記載の技術が提案されている。
【特許文献１】特開２００５−１５９５９４号公報
【発明の開示】
【発明が解決しようとする課題】
【００１０】
上述したように、表示画面を備えていない無線機では、視覚的に確認しながら相手局を選択することができず、結果的に一つの相手局しか登録することができなかった。また、呼出先となる相手局の変更・登録の際には、ＰＣ等の機器を用いてデータの書き換えを行わなければならず、不便であった。
【００１１】
また、無線機に表示画面を設けることで利便性を改善できるが、装置コストが高騰するという問題が生じる。さらに、無線機に表示画面を設けて視覚的に確認しながら相手局を選択できるようにしても、暗い場所で使用する場合や、視覚障害者が使用する場合には効果を発揮することができない。
【００１２】
本発明は、複数の相手局の中から特定の相手局を選択して通信可能な無線機であって、呼出先の相手局を容易に設定でき、かつ装置コストを低減できる無線機を提供することを目的とする。
【課題を解決するための手段】
【００１３】
請求項１に記載の発明は、上記目的を達成するためになされたものであり、
相手局と通信する通信手段と、
音声を出力する音声出力手段と、
呼出先として設定可能な１又は２以上の相手局の識別情報を記憶する記憶手段と、
前記記憶手段に記憶されている相手局の中から呼出先となる相手局を設定するための相手局設定手段と、
前記通信手段によって、前記相手局設定手段によって設定された相手局に対応する識別情報を含む電波を送信させ、当該相手局との通信を可能とする制御手段と、を備え、
前記相手局設定手段は、前記記憶手段に記憶されている相手局に対応する音声案内を、前記音声出力手段によって順次アナウンスさせ、特定の操作信号の入力に基づいて、アナウンスされた音声案内に対応する相手局を呼出先として設定することを特徴とする無線機である。
【００１４】
請求項２に記載の発明は、請求項１に記載の無線機において、
前記相手局設定手段は、所定の時間間隔で前記音声案内を順次アナウンスさせ、特定の操作信号が入力される直前にアナウンスされた音声案内に対応する相手局を呼出先として設定することを特徴とする。
【００１５】
請求項３に記載の発明は、請求項１又は２に記載の無線機において、
前記制御手段は、前記通信手段によって受信された電波に当該無線機の識別情報が含まれていた場合に、前記音声出力手段によって呼出音を出力させるとともに、
前記通信手段によって受信された電波に相手局の識別情報が含まれ、その識別情報が前記記憶手段に記憶されている場合には、前記音声出力手段によって当該相手局に対応する音声案内をアナウンスさせることを特徴とする。
【００１６】
請求項４に記載の発明は、請求項１から３のいずれか一項に記載の無線機において、表示画面を備えていないことを特徴とする。
【００１７】
請求項５に記載の発明は、請求項１から４のいずれか一項に記載の無線機において、前記識別情報は、無線機に固有に付与されるＩＤコードであることを特徴とする。
【発明の効果】
【００１８】
本発明によれば、複数の相手局の中から特定の相手局を選択して通信可能な無線機において、音声アナウンスを利用することにより、呼出先の相手局を容易に設定できる。
また、表示画面を備える必要はないため、装置コストを低減することができる。
【発明を実施するための最良の形態】
【００１９】
以下、本発明の実施の形態を図面に基づいて説明する。
図１は、本発明に係る無線機を適用した無線通信システムの概略図である。
図１に示すように、本実施形態に係る無線通信システムは、複数の無線機１００、１００，・・で構成される。何れの無線機も同様の構成を有するが、以下の説明において、１つの無線機を自局、自局と通信可能な他の無線機を相手局と称して区別することもある。なお、自局、及び相手局１，２はトーンスケルチ機能を有し、同一のトーン周波数が設定されているものとする。
また、それぞれの無線機には、固有のＩＤコードが付与されている。図１では、自局に“１０１０”、相手局１に“１００１”、相手局２に“１００２”のＩＤコードが付与されていることを示している。
【００２０】
無線機１００では、呼出先となる相手局を設定することで、特定の相手局とだけ通信することができる。この相手局設定処理については、後述する。
例えば、自局において、呼出先として相手局１を設定していれば、送信操作が行われたときに、自局からＩＤコード“１００１”を含む電波が送信される。そして、相手局１において当該電波が受信され、この相手局１との間で通信可能となる。一方、相手局２において当該電波が受信されても、ＩＤコードから相手局２を呼出先としていないことが検知されるので、自局と相手局２との間では通信は行われない。
また、本実施形態に係る無線機１００は、ＬＣＤ等の表示画面を備えていないが、後述するように音声アナウンスを利用することにより簡単に呼出先となる相手局を設定することができる。
【００２１】
図２は、無線機１００の概略構成を示すブロック図である。本実施形態に係る無線機１００は、通信部１と、操作部２と、スピーカ３と、マイク４と、記憶部５と、制御部６と、を備えて構成されている。
【００２２】
通信部１は、受信部１１と、送信部１２と、を備えて構成される。
受信部１１は、アンテナＡＮＴを介して相手局から送信された電波を受信し、受信した電波に対して復調処理等を施した後、制御部６へ復調した音声信号等を出力する。
送信部１２は、制御部６から出力された音声信号等に対して変調処理等を施した後、アンテナＡＮＴを介して当該変調された電波を送信する。
【００２３】
操作部２は、送信キー２１と、ＩＤセレクトキー２２と、ＩＤ確定キー２３と、を備えて構成される。
送信キー２１は、呼出先として設定された相手局を呼び出すときに使用するキーである。送信キー２１が押下されると、設定された相手局のＩＤコードを含む電波が送信される。ＩＤセレクトキー２２は、呼出先となる相手局を設定するときに使用するキーである。ＩＤセレクトキー２２が操作されると相手局選択モードへと移行する。ＩＤ確定キー２３は、相手局選択モードにおいて、呼出先となる相手局を確定するためのキーである。
ユーザによって操作部２の何れかのキーが押下されると、押下されたキーに対応した要求を示す操作信号が制御部６へと出力され、制御部６において所定の処理が実行される。
【００２４】
スピーカ３は、制御部６から出力された音声信号（例えば、受信電波に含まれる音声信号）を増幅して、これに基づく音声を出力する。
マイク４は、ユーザによる音声の入力を受け付けると、当該入力された音声を音声信号として制御部６へ出力する。
【００２５】
記憶部５は、例えば、不揮発性メモリで構成される。記憶部５は、スピーカから出力させる音声データ（例えば、ビープ音、呼出音等）を記憶する。
また、記憶部５は、呼出先として設定可能な１又は２以上の相手局のＩＤコード（識別情報）を相手局ごとに記憶する。
記憶部５に記憶される相手局の設定・変更は、ＰＣ等の表示画面を備えた端末を通じてデータを書き込むことによって行われる。
図３は、記憶部５に記憶されている相手局リストの一例を示した図である。
図３に示すように、相手局リストには、呼出先として設定可能な相手局ごとに、相手局を識別するためのＩＤコードと、相手局設定時に音声案内するための音声データが登録されている。例えば、相手局１については、ＩＤコード“１００１”と、“Ｎｏ．１”と発音させるための音声データが登録されている。
また、記憶部５には、無線機１００に付与されたＩＤコード（例えば、 “１０１０”）が記憶されている。
【００２６】
図２において、制御部６は、例えば、ＣＰＵ（Central Processing Unit）６１、ＲＡＭ（Random Access Memory）６２、ＲＯＭ（Read Only Memory）６３等を備えて構成され、無線機１００の各部を制御する。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＲＯＭ６３は、例えば、半導体メモリ等で構成され、処理プログラムやデータ等が予め記憶されている。ＲＯＭ６３には、例えば、相手局との通信を制御する通信処理プログラム、呼出先となる相手局を設定するための相手局設定プログラム、相手局からの電波を受信したときに音声案内する受信時アナウンスプログラム、設定された相手局を呼び出すための呼出処理プログラム等が記憶されている。
ＣＰＵ６１は、ＲＯＭ６３に格納された処理プログラム等を読み出して、ＲＡＭ６２に展開して実行することにより、無線機１００全体の制御を行う。
【００２７】
ＣＰＵ６１は、例えば、無線機１００が相手局からの電波を受信した際には、受信部１１により受信され復調された音声信号に基づく音声をスピーカ３から出力させる。
また例えば、無線機１００が相手局に電波を送信する際には、マイク４から出力された音声信号を送信部１２に出力し、送信部１２で変調させて、電波を送信させる。このとき、電波には、音声信号とともに、呼出先として設定された相手局のＩＤコード（図３参照）が付加されることとなる。
【００２８】
以下、呼出先となる相手局の設定方法について、図４、図５を用いて具体的に説明する。
図４は、無線機１００内で行われる相手局設定処理の一例について示したフローチャートである。図５は、相手局設定時の無線機１００の遷移状態を示す説明図である。
この相手局設定処理は、ユーザが無線機１００のＩＤセレクトキー２２を操作することに伴い、ＣＰＵ６１がＲＯＭ６３に格納されている相手局設定プログラムを実行することにより実現される。すなわち、制御部６は、本発明における相手先設定手段を構成する。
なお、ユーザによってＩＤセレクトキー２２が押下されると、ＩＤ選択モードへと移行し、そのことを示す“ピッ”というビープ音がスピーカ３から発音される（図５（ｂ））。
【００２９】
図４において、ステップＳ１１では、記憶部５に格納されている相手局リスト（図３参照）の最上位に登録されている相手局１に対応する音声案内“Ｎｏ．１”がアナウンスされる（図５（ｃ））。
ステップＳ１２では、次の音声案内（Ｎｏ．２）に切り換えるための時間を計時するタイマが起動される。本実施形態に係る無線機１００は、一定の時間経過後に、自動的にアナウンスされる音声案内が切り換わるように設定されている。次の音声案内に切り換えるための時間を直近の音声アナウンスから１秒と定めると、直近の音声アナウンスから１秒が経過したタイミングで次の音声案内（“Ｎｏ．２”）がアナウンスされることとなる。なお、この切り換えのための時間は、例えば、ＰＣ等を用いたデータ書き込みにより、所望の値に変更することができる。
【００３０】
ステップＳ１３では、ステップＳ１２で起動されたタイマが終了しているか（一定時間経過したか）否かが判定される。タイマが終了した場合は、ステップＳ１９へと移行し、タイマが終了していない場合は、ステップＳ１４へと移行する。
【００３１】
ステップＳ１４では、ユーザにより送信キー２１が押されたか否かが判定される。ユーザにより送信キー２１が押された場合は、ステップＳ１６へと移行し、送信キー２１が押されていなかった場合は、ステップＳ１５へと移行する。
【００３２】
ステップＳ１５では、ユーザによりＩＤ確定キー２３が押されたか否かが判定される。ユーザによりＩＤ確定キー２３が押された場合は、ステップＳ１８へと移行し、ＩＤ確定キー２３が押されていない場合は、ステップＳ１３へと移行する。
【００３３】
ステップＳ１３において、タイマが終了したと判定された場合は、ステップＳ１９〜Ｓ２３により、相手局２についての音声案内及び呼出先としての登録処理が行われる。ステップＳ１９〜Ｓ２３の処理は、ステップＳ１１〜Ｓ１５と同様であるので説明を省略する。
ステップＳ２１において、タイマが終了したと判定された場合は、ステップＳ２４〜Ｓ２８により、相手局３についての音声案内及び呼出先としての登録処理が行われる。ステップＳ２４〜Ｓ２８の処理も、ステップＳ１１〜Ｓ１５と同様であるので説明を省略する。なお、ステップＳ２６において、タイマが終了したと判定された場合は、ステップＳ１１に移行して、処理が繰り返される。
【００３４】
ステップＳ１６では、送信キー２１が押されたときにアナウンスされていた相手局が呼出先として設定される。例えば、“Ｎｏ．２”とアナウンスされた直後に送信キー２１が押された場合は、音声案内“Ｎｏ．２”に対応する相手局２が呼出先として設定される。
そして、ステップＳ１７では、ステップＳ１６で設定された相手局に対応付けられたＩＤコードを付加した電波が送信される（図５（ｆ２））。すなわち、相手局２が呼出先として設定されている場合は、ＩＤコード“１００２”を付加した電波が送信され、相手局２が呼び出されることとなる。
【００３５】
ステップＳ１８では、ＩＤ確定キー２３が押されたときにアナウンスされていた相手局が呼出先として設定され、相手局設定処理は終了する（図５（ｆ１））。呼出先となる相手局が設定されると、ＩＤ選択モードから通常モードへと移行する。そして、通常モードにおいて送信キー２１が操作されると、ステップＳ１８において設定された相手局のＩＤコードを付加した電波が送信され、相手局が呼び出されることとなる。
【００３６】
上述したように、本実施形態に係る無線機１００は、相手局と通信する通信手段（通信部１）と、音声を出力する音声出力手段（スピーカ３）と、呼出先として設定可能な１又は２以上の相手局の識別情報（ＩＤコード）を記憶する記憶手段（記憶部５）と、記憶手段に記憶されている相手局の中から呼出先となる相手局を設定する相手局設定手段（制御部６）と、通信手段によって、設定された相手局に対応する識別情報を含む電波を送信させ、当該相手局との通信を可能とする制御手段（制御部６）と、を備える。
そして、相手局設定手段は、記憶手段に記憶されている相手局に対応する音声案内を音声出力手段によって順次アナウンスさせ、特定の操作信号の入力（送信キー２１又はＩＤ確定キー２３の操作）に基づいて、アナウンスされた音声案内に対応する相手局を呼出先として設定する。
【００３７】
このように、無線機１００によれば、音声案内に従って呼出先の相手局を容易に設定することができる。
また、所定の時間間隔で、呼出先として設定可能な相手局に対応する音声案内を順次アナウンスさせるので、ユーザは相手局を切り換えるための操作を行う必要はなく、相手局の設定操作が簡略化される。
さらに、無線機１００は表示画面を備える必要はないので、装置コストを格段に低減することができる。
【００３８】
上述したように、無線機１００では、音声アナウンスにより呼出先の相手局を容易に設定することができる。さらに、相手局が自局に電波を送信する際に、呼出先の無線機（自局）のＩＤコードとともに、呼出元の無線機（相手局）のＩＤコードを含ませることにより、自局が呼び出されるときに呼出元の無線機に対応する音声案内を行い、呼出元を容易に知得できるようにしている。
【００３９】
図６は、無線機１００で行われる受信時アナウンス処理の一例について示したフローチャートである。図７は、電波受信時における無線機１００の遷移状態を示す説明図である。
この受信時アナウンス処理は、無線機１００の受信部１１がＩＤコードを含む電波を受信したことに伴い、ＣＰＵ６１がＲＯＭ６３に格納されている受信時アナウンスプログラムを実行することにより実現される。
【００４０】
図６において、ステップＳ３１では、無線機１００によって受信された電波に含まれる呼出先のＩＤコードが、無線機１００に付与されているＩＤコードと一致したか否か、すなわち自局宛の電波であるか否かが判定される。具体的には、受信電波に含まれる呼出先のＩＤコードと、記憶部５に記憶されている無線機１００本体のＩＤコードとを比較することにより判定される。そして、ＩＤコードが一致した場合はステップＳ３２へと移行し、ＩＤコードが一致しない場合はそのまま処理を終了する。
【００４１】
ステップＳ３２では、ステップＳ３１においてＩＤが一致したこと、すなわち、当該無線機１００が相手局から呼び出されたことを示す呼出音が出力される（図７（ｂ））。ステップＳ３１においてＩＤが一致すると、ＣＰＵ６１は記憶部５から呼出音の音声データを読み出し、当該音声データに基づく音声をスピーカ３から出力させる。
【００４２】
ステップＳ３３では、記憶部５に記憶されている相手局リストに、呼出元の相手局が登録されているか否かが判定される。具体的には、受信電波に含まれる呼出元のＩＤコードと、相手局リストに登録されている相手局のＩＤコードを比較することにより判定される。そして、呼出元の相手局が、相手局リストに登録されていた場合はステップＳ３４へと移行し、登録されていなかった場合はそのまま処理を終了する。
【００４３】
ステップＳ３４では、ステップＳ３３で相手局リストに登録されていることが確認された相手局を示す音声案内がアナウンスされる。例えば、呼出元が相手局２である場合には、“Ｎｏ．２”とアナウンスされる（図７（ｃ））。
【００４４】
上述したように、無線機１００の制御部６は、通信手段（通信部１）によって受信された電波に当該無線機の識別情報（ＩＤコード、例えば、“１０１０”）が含まれていた場合に、音声出力手段（スピーカ３）によって呼出音を出力させる。また、通信手段によって受信された電波に相手局の識別情報（ＩＤコード、例えば、“１００２”）が含まれ、その識別情報が記憶手段（記憶部５）に記憶されている場合には、音声出力手段によって当該相手局に対応する音声案内をアナウンスさせる。
これにより、相手局から呼び出されていること、及び、呼出元の相手局を音声により知得することができるので、利便性に優れる。
【００４５】
以上、本発明に係る実施形態に基づいて具体的に説明したが、本発明は上記実施形態に限定されるものではなく、その要旨を逸脱しない範囲で変更可能である。
【００４６】
例えば、上記実施形態では、無線機１００は表示画面を備えない構成を採っているが、例えば、ＬＣＤのような表示画面を設けるようにしてもよい。
また、相手局設定処理において、タイマにより所定の時間間隔で音声案内を切り換えるようにしているが、ユーザのキー操作によって音声案内が切り換わるようにしてもよい。
【００４７】
また、上記実施形態では、相手局を設定する際にＩＤナンバー（例えば、“Ｎｏ．１”）をアナウンスさせるようにしているが、例えば、相手局に関連付けられた具体的な音声案内（例えば、“太郎”）をアナウンスさせるようにしてもよい。
【００４８】
さらに、呼出先となる相手局として一つの相手局を設定するだけでなく、呼出先として、複数の相手局で構成されるグループを設定できるようにしてもよい。この場合、グループ毎に付与されるＩＤコードを識別情報とすることになる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本発明に係る無線機を適用した無線通信システムの概略図である。
【図２】無線機１００の概略構成を示すブロック図である。
【図３】記憶部５に記憶されている相手局リストの一例を示した図である。
【図４】無線機１００内で行われる相手局設定処理の一例について示したフローチャートである。
【図５】相手局設定時の無線機１００の遷移状態を示す説明図である。
【図６】無線機１００で行われる受信時アナウンス処理の一例について示したフローチャートである。
【図７】電波受信時における無線機１００の遷移状態を示す説明図である。
【図８】従来の表示画面付き無線機２００で行われる相手局呼出処理の一例を示すフローチャートである。
【図９】相手局呼出時の無線機２００の遷移状態を示す説明図である。
【図１０】表示画面を備えない無線機３００における相手局呼出動作についての説明図である。
【図１１】無線機３００に対して呼出先となる相手局を設定する様子を示した説明図である。
【符号の説明】
【００５１】
１００  無線機
１  通信部（通信手段）
１１  受信部
１２  送信部
２  操作部
２１  送信キー
２２  ＩＤセレクトキー
２３  ＩＤ確定キー
３  スピーカ（音声出力手段）
４  マイク
５  記憶部（記憶手段）
６  制御部（相手局設定手段、制御手段）
６１  ＣＰＵ
６２  ＲＡＭ
６３  ＲＯＭ
【図１】
2009171400.tif 000003
【図２】
2009171400.tif 000004
【図３】
2009171400.tif 000005
【図４】
2009171400.tif 000006
【図５】
2009171400.tif 000007
【図６】
2009171400.tif 000008
【図７】
2009171400.tif 000009
【図８】
2009171400.tif 000010
【図９】
2009171400.tif 000011
【図１０】
2009171400.tif 000012
【図１１】
2009171400.tif 000013